(57)【特許請求の範囲】
【請求項１】
先端付近に係止溝が形成される略Ｊ字状鉤を含み、この先端を通じてキーの孔に挿通されるような貫通体と、
貫通体を移動自在に支持し、貫通体の先端を移動により内部に収容してキーを抜け止めするホルダケースと、
ホルダケースに対して支軸を中心としてばねまたはゴムにより付勢力が付与されて回転するようになされるとともに先端に係止鉤部が形成された回転体を有し、貫通体の略Ｊ字状鉤の先端が内部に収容されたときに付勢力に抗しつつ先端の係止溝に係止鉤部が嵌め込まれて略Ｊ字状鉤の先端を係止し、また、付勢力による回転方向とは反対方向への回転体の回転移動により貫通体の先端の係止溝から係止鉤部が外れて略Ｊ字状鉤の先端の係止を解除するロック片と、
ホルダケースに設けられる固定係止部と、
固定係止部とロック片との間で電気的に接続される信号生成回路と、
を備え、
貫通体の先端をホルダケース内部に収容して貫通体をロック片で抜け止めしたときに、貫通体、ロック片、信号生成回路および固定係止部で信号経路が形成されることを特徴とするキーホルダ。
【請求項２】
先端を通じてキーの孔に挿通されるような貫通体と、
貫通体を移動自在に支持し、貫通体の先端を移動により内部に収容してキーを抜け止めするホルダケースと、
ホルダケースに設けられ、貫通体の先端が内部に収容されたときに係止して固定され、貫通体の先端が外部へ引き出されたときに係止不能となるロック片と、
ロック片に電気的に接続される信号生成回路と、
を備え、
貫通体の先端をホルダケース内部に収容して貫通体をロック片で抜け止めしたときに、貫通体、ロック片および信号生成回路で信号経路が形成され、かつ、貫通体の先端が外部へ引き出されたときに信号経路形成を不能とすることを特徴とするキーホルダ。
【請求項３】
請求項１または請求項２に記載のキーホルダを収容するセキュリティ・キーボックスであって、
キーホルダが差し込まれるホルダスロットを一または複数備えるキーボックス本体と、
ホルダスロット内に配置され、差し込まれたキーホルダをロックするロック部と、
ロック部を駆動する駆動回路と、
キーホルダ内の信号生成回路と通信してキーホルダの差し込みの有無を検出する検出回路と、
キー利用者についての認証データを入力する入力部と、
ロックを解除するキーを表示により通知する表示部と、
アラームを音声または表示により報知するアラーム報知部と、
駆動回路、検出回路、入力部、表示部およびアラーム報知部と接続され、入力部から入力された認証データに対応して使用許可されているキーに該当する駆動回路に制御データを送信してロック部を解除するように制御するとともに表示部を表示させる制御部と、
を備え、
制御部は、
信号生成回路から出力されるキーデータを読み出す手段と、
キーデータを読み出せたときはキーボックス本体のホルダスロットにキーホルダが差し込まれていると判断する正常判断手段と、
キーデータを読み出せないときはキーボックス本体のホルダスロットにキーホルダが差し込まれていないと判断する異常判断手段と、
異常判断されたときにアラーム報知部に報知させる異常時処理手段として機能することを特徴とするセキュリティ・キーボックス。
【請求項４】
請求項３記載のセキュリティ・キーボックスを含むキー管理システムであって、
前記のセキュリティ・キーボックスは外部と通信する通信部を備え、
一または複数のセキュリティ・ボックスの通信部と接続される通信回線と、
通信回線を介して通信される管理者端末と、
を備え、
セキュリティ・キーボックスの制御部は、
キーボックス本体のホルダスロットにキーホルダが差し込まれていないと異常判断したときに通信回線を介して管理者端末へ異常を通知する手段として機能することを特徴とするキー管理システム。
【請求項５】
請求項３記載のセキュリティ・キーボックスを含むキー管理システムであって、
前記のセキュリティ・キーボックスは外部と通信する通信部を備え、
一または複数のセキュリティ・ボックスの通信部と接続される通信回線と、
通信回線を介して通信される管理者端末と、
を備え、
セキュリティ・キーボックスの制御部は、
管理者端末からの通信回線または無線を介しての遠隔からの許可情報、または、キーボックス内蔵あるいは外付けの認証装置により、キーボックス本体からの個々のキーの抜き取り許可・不許可を制御できる手段と、
キーボックス本体のホルダスロットにキーホルダが差し込まれているか否かを予め設定した条件をもとに異常と判断したときに通信回線を介して管理者端末へ異常を通知する手段として機能することを特徴とするキー管理システム。
【発明の詳細な説明】
【技術分野】
【０００１】
本発明は、キー管理の利便性を高めるようなキーホルダ、セキュリティ・キーボックスおよびキー管理システムに関する。
【０００２】
一般的にキー（鍵）は機械式のシリンダ錠を指している。このようなシリンダ錠は生活習慣に深く浸透し、広く利用されている。重要なキーの管理では、キーボックスを施錠することで複数のキーをまとめて管理し、利用者がキーの持ち出し時にノートなどに時刻、部署名、氏名などを記入してキーの管理を運用する。
【０００３】
しかし、個々のキーのレベルまで人が管理するのは面倒であるため、記録漏れが生じたり、形骸化していく恐れがある。また、警備業などへの依頼者は、適性に管理されているか否かは委託者からの報告に頼らざるを得ず、本当に長期持ち出し（合いキー作成の恐れ）されていないかどうかなど、運用状況を把握することが難しい状況である。
【０００４】
近年では運用状況を把握するＩＣカード型の電子錠も浸透しつつあるものの、シリンダ錠から電子錠への置き換えは、キーの交換だけでなく、ドア施錠機構を含めて交換しなければならいことから、電子錠への置き換え需要は依然緩やかであり、今後もシリンダ錠の存続が予想される。
【０００５】
そこで、既に普及しているシリンダ錠のセキュリティ管理をワンランク向上させて、持ち出し時の記録の自動化、無断でキーの持ち出しを防止することがセキュリティの向上策として考えられる。
【０００６】
このようなキー管理を行う装置の従来技術として、例えば、特許文献１（特開平０６−５００３４号，発明の名称「セキュリティー鍵保管装置」）が開示されている。特許文献１の発明では、磁気カードやＩＣカードなどの電子カードをカードリーダに読取操作させるなどの操作がある毎に、操作の事実、関連情報、操作日時などを記憶・蓄積して出入口扉等の鍵の保管及び取り出しを行うようにしたセキュリティー鍵保管装置としており、トラブルなどが起こった場合には、装置の操作履歴を表示させて原因究明ができるようになる。
【０００７】
また、従来技術の他の装置として、例えば、特許文献２（特開２００４−３００６８３号，発明の名称「鍵管理装置」）が開示されている。特許文献２の発明では、複数のキーボックスを縦横に配設しヒンジにより開閉自在な構造を有するキーボックス収納扉と、このキーボックス収納扉にキーボックスを例えば１５個配設し、各キーボックスには固有の番号（１〜１５）を付したボックス番号プレートと、各キーボックスの扉に備えられ指定された時に点灯するＬＥＤランプが備えられている。また本体枠に一方を固定され、キーボックス収納扉の閉止状態をロックする収納扉キーと、キーボックスにキーを保管したときに貸し出し証をプリントアウトするプリンタと、パスワード等の必要情報を入力したり情報の表示を行なう表示入力部と、磁気カード若しくは接触型あるいは非接触型のＩＣカードの内容を読み取るカードリーダとを備えて構成される。これにより、無人化によりキーを確実に管理でき、且つ個々のキーのセキュリティを高めたキー管理装置を提供する。
【０００８】
【特許文献１】特開平０６−５００３４号公報（段落番号［０００９］〜［００１２］，図１〜図３）
【特許文献２】特開２００４−３００６８３号公報（段落番号［００１３］，図３）
【発明の開示】
【発明が解決しようとする課題】
【０００９】
しかしながら、特許文献１のセキュリティー鍵保管装置では鍵の取り付け、取り外しが可能なリング体を介して鍵が鍵ホルダに取り付けられているため、鍵保管装置から容易に鍵を外すことが可能であり、また、このリング体に予備の鍵が取り付けられている場合には、予備の鍵を持出すことが可能であり、セキュリティ上の抜け穴によって適切に管理できないという問題があった。
また、特許文献２の鍵管理装置では、例えば、キーカバーの開閉を監視するものであるが、鍵自体を監視するものではなかった。このため、例えば、キーカバーに孔を開けて鍵を盗み出したような場合は、キーカバーが閉まったままなので正常に管理されてしまい、鍵の盗難の発見が遅れるおそれがあった。また、キーカバーが開けられれば、キーホルダを残したまま、キーのみ取り外して持ち出すことも可能であった。特に別の身代わりキーとすり替えられた場合には、次回その鍵を使用するまで気がつきにくく、これを防ぐには、キーボックスからの取り出し時に別途、立ち会い者が必要となる。このようなことから、アルバイトや委託者などによる内部犯罪に対する抑止力が不足しているという問題もあった。
【００１０】
そこで、本発明は、上述の課題を解決するためになされたものであり、その目的は、一般的なシリンダ錠用のキーが一旦保持されると取り外しが困難であり、かつ管理時にはキー固有の信号を発信するようなキーホルダを提供することにある。
また、このキーホルダが差し込まれると、キーやキーホルダが抜き取られた場合に異常と検出するようなセキュリティ・キーボックスを提供することにある。
また、異常を遠隔地にいる管理人に通知するようなキー管理システムを提供することにある。
総じて、キーをキーホルダから取り出せないようにする分離禁止機能、キーホルダの持ち出しに関する異常検出機能、キーホルダの移動を管理する監視機能、を設けることでセキュリティの向上を図り、キーが不正利用されるおそれを低減させるためのキーホルダ、セキュリティ・キーボックスおよびキー管理システムを提供することにある。
【課題を解決するための手段】
【００１１】
本発明の請求項１に係るキーホルダは、
先端付近に係止溝が形成される略Ｊ字状鉤を含み、この先端を通じてキーの孔に挿通されるような貫通体と、
貫通体を移動自在に支持し、貫通体の先端を移動により内部に収容してキーを抜け止めするホルダケースと、
ホルダケースに対して支軸を中心としてばねまたはゴムにより付勢力が付与されて回転するようになされるとともに先端に係止鉤部が形成された回転体を有し、貫通体の略Ｊ字状鉤の先端が内部に収容されたときに付勢力に抗しつつ先端の係止溝に係止鉤部が嵌め込まれて略Ｊ字状鉤の先端を係止し、また、付勢力による回転方向とは反対方向への回転体の回転移動により貫通体の先端の係止溝から係止鉤部が外れて略Ｊ字状鉤の先端の係止を解除するロック片と、
ホルダケースに設けられる固定係止部と、
固定係止部とロック片との間で電気的に接続される信号生成回路と、
を備え、
貫通体の先端をホルダケース内部に収容して貫通体をロック片で抜け止めしたときに、貫通体、ロック片、信号生成回路および固定係止部で信号経路が形成されることを特徴とする。
【００１２】
また、本発明の請求項２に係るキーホルダは、
先端を通じてキーの孔に挿通されるような貫通体と、
貫通体を移動自在に支持し、貫通体の先端を移動により内部に収容してキーを抜け止めするホルダケースと、
ホルダケースに設けられ、貫通体の先端が内部に収容されたときに係止して固定され、貫通体の先端が外部へ引き出されたときに係止不能となるロック片と、
ロック片に電気的に接続される信号生成回路と、
を備え、
貫通体の先端をホルダケース内部に収容して貫通体をロック片で抜け止めしたときに、貫通体、ロック片および信号生成回路で信号経路が形成され、かつ、貫通体の先端が外部へ引き出されたときに信号経路形成を不能とすることを特徴とする。
【００１３】
本発明の請求項３に係るセキュリティ・キーボックスは、
請求項１または請求項２に記載のキーホルダを収容するセキュリティ・キーボックスであって、
キーホルダが差し込まれるホルダスロットを一または複数備えるキーボックス本体と、
ホルダスロット内に配置され、差し込まれたキーホルダをロックするロック部と、
ロック部を駆動する駆動回路と、
キーホルダ内の信号生成回路と通信してキーホルダの差し込みの有無を検出する検出回路と、
キー利用者についての認証データを入力する入力部と、
ロックを解除するキーを表示により通知する表示部と、
アラームを音声または表示により報知するアラーム報知部と、
駆動回路、検出回路、入力部、表示部およびアラーム報知部と接続され、入力部から入力された認証データに対応して使用許可されているキーに該当する駆動回路に制御データを送信してロック部を解除するように制御するとともに表示部を表示させる制御部と、
を備え、
制御部は、
信号生成回路から出力されるキーデータを読み出す手段と、
キーデータを読み出せたときはキーボックス本体のホルダスロットにキーホルダが差し込まれていると判断する正常判断手段と、
キーデータを読み出せないときはキーボックス本体のホルダスロットにキーホルダが差し込まれていないと判断する異常判断手段と、
異常判断されたときにアラーム報知部に報知させる異常時処理手段として機能することを特徴とする。
【００１４】
本発明の請求項４に係るキー管理システムは、
請求項３記載のセキュリティ・キーボックスを含むキー管理システムであって、
前記のセキュリティ・キーボックスは外部と通信する通信部を備え、
一または複数のセキュリティ・ボックスの通信部と接続される通信回線と、
通信回線を介して通信される管理者端末と、
を備え、
セキュリティ・キーボックスの制御部は、
キーボックス本体のホルダスロットにキーホルダが差し込まれていないと異常判断したときに通信回線を介して管理者端末へ異常を通知する手段として機能することを特徴とする。
【００１５】
また、本発明の請求項５に係るキー管理システムは、
請求項３記載のセキュリティ・キーボックスを含むキー管理システムであって、
前記のセキュリティ・キーボックスは外部と通信する通信部を備え、
一または複数のセキュリティ・ボックスの通信部と接続される通信回線と、
通信回線を介して通信される管理者端末と、
を備え、
セキュリティ・キーボックスの制御部は、
管理者端末からの通信回線または無線を介しての遠隔からの許可情報、または、キーボックス内蔵あるいは外付けの認証装置により、キーボックス本体からの個々のキーの抜き取り許可・不許可を制御できる手段と、
キーボックス本体のホルダスロットにキーホルダが差し込まれているか否かを予め設定した条件をもとに異常と判断したときに通信回線を介して管理者端末へ異常を通知する手段として機能することを特徴とする。
【発明の効果】
【００１６】
本発明によれば、キーをキーホルダから取り出せないようにする分離禁止機能、キーホルダの持ち出しに関する異常検出機能、キーホルダの移動を管理する監視機能、を設けることでセキュリティの向上を図り、キーが不正利用されるおそれを低減させるためのキーホルダ、セキュリティ・キーボックスおよびキー管理システムを提供することができる。
【発明を実施するための最良の形態】
【００１７】
以下、本発明を実施するための最良の形態のキーホルダ、セキュリティ・キーボックスおよびキー管理システムについて順次説明する。まず、キーホルダについて説明する。図１は本形態のキーホルダの内部構成図である。
キーホルダ１００は、略Ｊ字状鉤１１０、ロック片１２０、信号生成回路１３０、固定係止部１４０、ホルダケース１５０を備える。
【００１８】
略Ｊ字状鉤１１０は、本発明の貫通体の具体例であり、先端１１１、係止溝１１２、付勢ばね１１３、係止突部１１４を備える。この略Ｊ字状鉤１１０は、電気的な導体により形成される。
先端１１１は、略Ｊ字状鉤１１０の短軸側に設けられた尖り先であり、キーの孔や先端収容穴１５１に挿入し易くなっている。
係止溝１１２は、略Ｊ字状鉤１１０の先端１１１に並んで配置され、図面の垂直方向に形成される溝である。
【００１９】
付勢ばね１１３は、略Ｊ字状鉤１１０の長軸側に設けられており、通常時は略Ｊ字状鉤１１０が開放するように外側（図１では左側）の方向に略Ｊ字状鉤１１０を付勢する。
係止突部１１４は、略Ｊ字状鉤１１０の長軸側の先端に設けられており、ホルダケース１５０の中側へ突出するように形成されている。
【００２０】
ロック片１２０は、詳しくは回転体１２１、係止鉤部１２２、支軸１２３、押し込み部１２４、接続線１２５を備える。このロック片１２０は電気的な導体により形成される。
回転体１２１は、ロック片１２０の本体であり、棒状に形成されている。
係止鉤部１２２は、回転体１２１の一方の先端に形成されており、後述するが、先端収容穴１５１内に位置しており、略Ｊ字状鉤１１０が収容されたときにその係止溝１１２に入り込んで係止する。
【００２１】
支軸１２３は、回転体１２１を回転自在に軸支する。回転体１２１は図面の垂直方向の中心軸を基準として回転する。
押し込み部１２４は、回転体１２１の他方の先端に形成されており、ホルダケース１５０の外側に露出されている。この押し込み部１２４を先端の尖った道具であるピン１２６で押すと、図３で示すように、ロック片１２０は回転する。
接続線１２５は、ロック片１２０と信号生成回路１３０とを通信可能に接続する。また、信号生成回路１３０と固定係止部１４０とを通信可能に接続する。
このようなロック片１２０は、図３の矢印ｂ方向とは反対方向に回転するように図示しないばね・ゴムなどの付勢部で付勢することとなる。
【００２２】
信号生成回路１３０は、後述するが、電源供給を受けたときに、ユニークなキーデータを生成して外部に送出する。
【００２３】
固定係止部１４０は、詳しくは本体１４１、係止突部１４２を備える。この固定係止部１４０は電気的な導体により形成される。
本体１４１は、固定係止部１４０の本体であり、棒状に形成されている。
係止突部１４２は、本体１４１の先端に設けられており、ホルダケース１５０の中側へ突出するように形成されている。
【００２４】
ホルダケース１５０は、詳しくは先端収容穴１５１、空間１５２、切り欠き部１５３を備えている。
ホルダケース１５０は、細長い角筒状であり、内部に空間１５２が形成され、この空間１５２内に上記の各構成が収容されている。
ホルダケース１５０の一方の側（図１では左側）では先端収容穴１５１が形成されている。先端収容穴１５１は略Ｊ字状鉤１１０の先端１１１が収容されるようになされ、その内部ではロック片１２０の係止鉤部１２２が突出している。
ホルダケース１５０の他方の側（図１では右側）では切り欠き部１５３が形成されている。切り欠き部１５３は、後述するセキュリティキーボックスのホルダスロットでロック部３３０と接続する際に位置決めを行う。
【００２５】
続いてキーホルダ１００の使用方法について説明する。まず、キーを入れてロックする場合について図を参照しつつ説明する。図２はロック状態の説明図である。キー（図示せず）を略Ｊ字状鉤１１０の先端１１１から挿通し、その後に矢印ａ方向に略Ｊ字状鉤１１０を押し込むと、略Ｊ字状鉤１１０の先端１１１がロック片１２０の係止鉤部１２２を滑りつつ進む。さらに略Ｊ字状鉤１１０を押し込むと、ロック片１２０の係止鉤部１２２が略Ｊ字状鉤１１０の係止溝１１２に入り込み、略Ｊ字状鉤１１０は移動しないように固定される。
【００２６】
また、キーロックを開放する場合について図を参照しつつ説明する。図３は開放状態の説明図である。ホルダケース１５０から露出しているロック片１２０の押し込み部１２４に対し、道具のピン１２６を突き入れると、支軸１２３を中心として、矢印ｂ方向に回転してロック片１２０の係止鉤部１２２が略Ｊ字状鉤１１０の係止溝１１２から外れる。すると、略Ｊ字状鉤１１０の付勢ばね１１３により矢印ｃ方向へ移動してキーロックから開放される。
このキーホルダ１００は、非破損型であり、キーホルダを破損しなくともキーロックを開放することでキーを取り外せる構成としている。
【００２７】
続いて、キーホルダをホルダスロットに挿入してホルダロックするとともに管理可能となる点について図を参照しつつ説明する。図４はキーホルダのロック状態の説明図、図５はキーホルダのロック開放状態の説明図である。ホルダスロット３０１内にはロック部３３０が形成されている。ロック部３３０は、先端部３３１、一対の係止部材３３２，３３２、一対の折れ曲がり部３３３，３３３、一対のソレノイド３３４，３３４、突き出し部３３５、一対の接続線３３６，３３６、付勢ばね３３７、一対の溝部３３８，３３８を備える。
【００２８】
先端部３３１は、絶縁性でキャップ状の部材である。
係止部材３３２は折れ曲がり部３３３を有する弾性および導電性の金属部材（例えば銅合金など）である。一対の係止部材３３２，３３２の先端には先端部３３１が被せられて、係止突部１１４，１４２間を通過しやすくしている。また、係止部材３３２の他端では溝部３３８によりホルダスロット３０１内で上下方向に移動可能に支持されている。
一対のソレノイド３３４，３３４は、このような一対の係止部材３３２，３３２に対して上下方向に移動させるようになされている。なお、一対の係止部材３３２，３３２は、付勢部３３７により通常は外側へ付勢されている。
【００２９】
突き出し部３３５は、ホルダケース１５０の切り欠き部１５３に当接してホルダケース１５０がホルダスロット３０１から排出されるように外側へ押圧している。
一対の接続線３３６，３３６は、検出回路３４１と一対の係止部材３３２，３３２とを通信可能に接続する。
一対の溝部３３８，３３８は、一対の係止部材３３２，３３２が上下方向へ移動するように移動を拘束する機能を有している。
【００３０】
続いてホルダロック動作について説明する。まず、図４で示すように矢印ｄ方向にキーホルダ１００をホルダスロット３０１に差し込むと、ロック部３３０の先端部３３１と一対の係止部材３３２，３３２とが、ホルダケース１５０の空間１５２内に入り込む。同時に突き出し部３３５がホルダケース１５０の切り欠き部１５３に入り込む。この切り欠き部１５３で受ける抗力に抗しつつさらに押し込むと、係止突部１１４，１４２により一対の係止部材３３２，３３２が、付勢部３３７の外側への付勢力にも拘らず、共に内側に押されていき、さらに押し込むと折れ曲がり部３３３が係止突部１１４，１４２内に入り込んで矢印ｅ方向に拡開し、図４で示すように接触した状態となり、ホルダスロット３０１からホルダケース１５０が抜けない状態となり、キーホルダ１００を引き抜けないようにホールドする。折れ曲がり部３３３と係止突部１１４，１４２とでは強固に密着するため、通信可能に接続されることとなる。
【００３１】
次に検出回路３４１は、上側の係止部材３３２、折れ曲がり部３３３、係止突部１４２、固定係止部１４０、接続線１２４、信号生成回路１３０、接続線１２４、ロック片１２０、略Ｊ字状鉤１１０、係止突部１１４、下側の折れ曲がり部３３３、下側の係止部材３３２という経路により、検出回路３４１は信号生成回路１３０と通信してキーデータを取得する、あるいは、単に導通したことを検知する。
【００３２】
一方、ホルダロックを解除する場合は、解除するキーデータを有するホルダケースを検索し、図５で示すように、キーデータが一致するような検出回路３４１での検知を確認した制御部３９０（図１３，図１４参照）は、駆動回路３４２を介して一対のソレノイド３３４，３３４を動作させて矢印ｇ方向に動作させる。すると、一対の係止部材３３２，３３２も矢印ｇ方向に移動して、一対の折れ曲がり部３３３，３３３が係止突部１１４，１４２から外れるとともに、突き出し部３３５がキーホルダ１００を矢印ｆ方向に押し出してホルダロックが解除される。
【００３３】
このように非破損型では一度キーをキーホルダ１００に挿入してキーロックした後、キーボックス本体３００のホルダスロット３０１に挿入すると、図４でも明らかなように、押し込み部１２４がホルダスロット３０１内に隠れるため、キーを取り外せいない仕組みとなっている。
また、キーホルダ１００からキーを力づくで引き抜いた場合には、ロック片１２０の係止鉤部１２２と、略Ｊ字状鉤１１０の係止溝１１２が外れて、信号生成回路１３０からのキーデータが取得できなくなり、異常をただちに検知する。
また、ホルダスロット３０１からキーホルダ１００を力づくで引き抜いた場合には、一対の係止部材３３２，３３２の一対の折れ曲がり部３３３，３３３と、係止突部１１４，１４２とが外れて、信号生成回路１３０からのキーデータが取得できなくなり、異常をただちに検知する。
このような構成としたため、一旦ホルダスロット３０１にキーホルダ１００を差し込むと、キーやキーホルダ１００を不正に取り外せなくなり、無理矢理キーやキーホルダ１００を抜き取った場合にはただちに検知できるようにしたため、セキュリティ能力を向上させることができる。
【００３４】
続いて、他の形態のキーホルダについて説明する。図６は他の形態のキーホルダの内部構成図である。先の形態のキーホルダ１００は、非破壊型であったのに対し本形態では破壊形である点が相違する。このキーホルダ１００’は、略Ｊ字状鉤１６０、ロック片１７０、信号生成回路１８０、ホルダケース１９０を備える。
【００３５】
略Ｊ字状鉤１６０は、本発明の貫通体の具体例であり、先端１６１、第一係止溝１６２、第二係止溝１６３、付勢ばね１６４、係止突部１６５を備える。
先端１６１は、略Ｊ字状鉤１６０の短軸側に設けられた尖り先であり、キーの孔に挿通し易くなっている。
第一係止溝１６２は、略Ｊ字状鉤１６０の先端１６１に並んで上側に配置され、図面の垂直方向に形成される溝である。
【００３６】
第二係止溝１６３は、略Ｊ字状鉤１６０の先端１６１に並んで下側に配置され、図面の垂直方向に形成される溝である。
付勢ばね１６４は、略Ｊ字状鉤１６０の長軸側に設けられており、略Ｊ字状鉤１６０が開放するように外側（図６では左側）の方向に略Ｊ字状鉤１６０を付勢する。
係止突部１６５は、略Ｊ字状鉤１６０の長軸側の先端に設けられており、ホルダケース１９０の中側へ突出するように形成されている。
【００３７】
ロック片１７０は、詳しくは本体１７１、略Ｕ字体１７２、第一係止鉤部１７３、第二係止鉤部１７４、係止突部１７５を備える。
本体１７１は、ロック片１７０の本体であり、棒状に形成されている。
略Ｕ字体１７２は、本体１７１の一方の先端に形成されている。
【００３８】
第一係止鉤部１７３は、略Ｕ字体１７２の一方の先端に形成されており、略Ｊ字状鉤１６０の第一係止溝１６２に入り込んで係止する。
第二係止鉤部１７４は、略Ｕ字体１７２の他方の先端に形成されており、略Ｊ字状鉤１６０の第二係止溝１６３に入り込んで係止する。
係止突部１７５は、本体１７１の他方の先端に設けられており、ホルダケース１９０の中側へ突出するように形成されている。
信号生成回路１８０は、後述するが、電源供給を受けて、ユニークなキーデータを生成して外部に送出する。
【００３９】
ホルダケース１９０は、詳しくは先端収容穴１９１、空間１９２、切り欠き部１９３を備えている。
ホルダケース１９０は、細長い角筒状であり、内部に空間１９２が形成され、この空間１９２内に上記の各構成が収容されている。
ホルダケース１９０の一方の側（図６では左側）では先端収容穴１９１が形成されている。先端収容穴１９１は略Ｊ字状鉤１６０の先端１６１が収容されるようになされ、その内部ではロック片１７０の第一係止鉤部１７３、第二係止鉤部１７４が突出している。
ホルダケース１９０の他方の側（図６では右側）では切り欠き部１９３が形成されている。切り欠き部１９３は、後述するセキュリティ・キーボックスのホルダスロットでロック部３３０と接続する際に位置決めを行う。
【００４０】
続いてキーホルダ１００’の使用方法について説明する。まず、キーを入れてロックする場合について図を参照しつつ説明する。図７はロック状態の説明図である。キー（図示せず）を略Ｊ字状鉤１６０の先端１６１から挿通し、その後に矢印ｈ方向に略Ｊ字状鉤１６０を押し込むと、略Ｊ字状鉤１６０の先端１６１がロック片１７０の略Ｕ字体１７２の第一係止鉤部１７３や第二係止鉤部１７４を滑りつつ進む。さらに略Ｊ字状鉤１６０を押し込むと、第一係止鉤部１７３が一係止溝１６２に、また、第二係止鉤部１７４が第二係止溝１６３に入り込み、略Ｊ字状鉤１６０は移動しないように固定される。この場合、略Ｊ字状鉤１６０の先端１６１が略Ｕ字体１７２内に入り込むと両側から強固に固定され、もはやキーロックの開放は不可能となる。
【００４１】
このようにキーロックを開放できないのに無理に引き抜こうとした場合について図を参照しつつ説明する。図８は引き抜きによる破損の説明図である。無理に略Ｊ字状鉤１６０を矢印ｉ方向に引張った場合、第一係止溝１６２が第一係止鉤部１７３を、また、第二係止溝１６３が第二係止鉤部１７４を、破壊しながら引き出され、第一係止鉤部１７３や第二係止鉤部１７４がなくなる。このため、以後はキーロックができないためキーデータが取り出せなくなって、異常状態であると判別できるようになる。
このキーホルダは、破損型であり、一度キーをキーホルダーに挿入してロックしたら、二度と引き出すことができないような構成としている。
【００４２】
続いて、キーホルダをホルダスロットに挿入してホルダロックするとともに管理可能となる点について図を参照しつつ説明する。図９はキーホルダのロック状態の説明図、図１０はキーホルダのロック開放状態の説明図である。ホルダスロット３０１内にはロック部３３０が形成されている。ロック部３３０は、一対の係止部材３３２，３３２、折れ曲がり部３３３、ソレノイド３３４、突き出し部３３５、接続線３３６、付勢部３３７、溝部３３８を備える。これらは先に説明した構成と同じであり、同じ符号を付すともに重複する説明を省略する。
【００４３】
続いて動作について相違点のみ説明する。まず、図９で示すように矢印ｊ方向にキーホルダ１００’をホルダスロット３０１に差し込むと、ロック部３３０の先端部３３１と一対の係止部材３３２，３３２とが、ホルダケース１９０の空間１９２内に入り込む。同時に突き出し部３３５がホルダケース１９０の切り欠き部１９３に入り込む。この切り欠き部１９３からの抗力に抗しつつさらに押し込むと、係止突部１６５，１７５により一対の係止部材３３２，３３２が、付勢部３３７の外側への付勢力にも拘らず、共に内側に押されていき、さらに押し込むと一対の折れ曲がり部３３３，３３３が係止突部１６５，１７５内に入り込んで矢印ｋ方向に拡開し、図９で示すように接触した状態となり、ホルダスロット３０１からホルダケース１９０が抜けない状態となり、キーホルダ１００を引き抜けないようにホールドする。一対の折れ曲がり部３３３，３３３と係止突部１６５，１７５とでは強固に密着するため、通信可能に接続されることとなる。
【００４４】
検出回路３４１は、上側の係止部材３３２、折れ曲がり部３３３、係止突部１７５、ロック片１７０、信号生成回路１８０、略Ｕ字体１７２、略Ｊ字状鉤１６０、係止突部１６５、下側の折れ曲がり部３３３、下側の係止部材３３２という経路により、検出回路３４１は信号生成回路１８０と通信してキーデータを取得する、あるいは、単に導通したことを検知する。
【００４５】
一方、ホルダロックを解除する場合は、解除するキーデータを有するホルダケースを検索し、図１０で示すように、キーデータが一致するような検出回路３４１から検知を検出した制御部３９０（図１３，図１４参照）は、駆動回路３４２を介して一対のソレノイド３３４，３３４を矢印ｍ方向に動作させる。すると、一対の係止部材３３２，３３２も矢印ｍ方向に移動して、一対の折れ曲がり部３３３，３３３が係止突部１６５，１７５から外れるとともに、突き出し部３３５がホルダケース１９０を矢印ｌ方向に押し出してキーホルダ１００’のホルダロックが解除される。
【００４６】
このように破損型では一度キーをキーホルダ１００’に挿入してロックすると二度と引き出すことができないタイプである。
また、キーホルダ１００’からキーを力づくで無理に引き抜いた場合には、ロック片１７０の第一係止鉤部１７３，第二係止鉤部１７４と、略Ｊ字状鉤１６０の第一係止溝１６２，第二係止溝１６３が外れて、キーホルダ１００’が破損して使用不能となり、また、信号生成回路１８０からのキーデータが取得できなくなって異常をただちに検知する。
また、ホルダスロット３０１からキーホルダ１００’を力づくで引き抜いた場合には、一対の係止部材３３２，３３２の一対の折れ曲がり部３３３，３３３と、係止突部１６５，１７５とが外れて、信号生成回路１８０からのキーデータが取得できなくなり、異常をただちに検知する。
【００４７】
このような構成としたため、一旦ホルダスロット３０１にキーホルダ１００’を差し込むと、キーやキーホルダ１００’を取り外せなくなり、無理矢理キーやキーホルダ１００’を抜き取った場合にはただちに検知できるようにしたため、セキュリティ能力を向上させることができる。
【００４８】
続いて、このようなキーホルダを用いるセキュリティ・キーボックスについて説明する。図１１は開閉扉を有するタイプのセキュリティ・キーボックスの外観図、図１２は開閉扉がないタイプのセキュリティ・キーボックスの外観図、図１３はセキュリティ・キーボックスの回路ブロック図、図１４はホルダスロット回路の詳細回路ブロック図である。
【００４９】
セキュリティ・キーボックス１０は、外観では図１１で示すようにキーボックス本体３００、ホルダスロット３０１、キー入力部３１０、表示部３２０、開閉扉４００を備える。複数のホルダスロット３０１にはそれぞれキー２００をホールドするキーホルダ１００（１００’）が取付けられている。
ホルダスロット３０１には、図４や図９で示すように検出回路３４１に接続された電極でもある係止部材３３２が突出しており、信号生成回路１３０（１８０）に電源を供給する。信号生成回路１３０（１８０）は、電源供給を受けて、ユニークな信号を検出回路に送出する。
また、図１２で示すように開閉扉４００がないタイプもあるが、他の構成は同じであり、同じ符号を付すとともに重複する説明を省略し、以下図１１で示すタイプについて説明する。
【００５０】
キーボックス本体３００内の内部ブロックは、図１３で示すように、キー入力部３１０、表示部３２０、ロック部３３０（図１４参照）、ホルダスロット回路３４０、アラーム報知部３５０、無線通信部３６０、有線通信部３７０、ＬＡＮ通信部３８０、制御部３９０を備える。
【００５１】
キー入力部３１０は、本発明の入力部の具体例であり、停電・システム異常時の強制ロック解除時などに暗証番号を入力する場合や、通常時に社員番号や暗証番号でロック解除する場合にデータ（以下これらロックを解除する際に入力されるキー利用者についてのデータを単に認証データという）を入力する場合に使用する。
表示部３２０は、各ホルダスロットのロック状態やロック解除、異常状態などのステータスを表示するものであり、ロックを解除するキーを表示により通知する。
【００５２】
ロック部３３０は、図４，図５，図９，図１０により説明がされており、重複する説明を省略する。
ホルダスロット回路３４０は、キーホルダーへの電源供給と、キーホルダーの信号を抽出する。また、制御部３９０からの制御信号により、キーホルダーのロック解除を行う。ホルダスロット回路３４０は、詳しくは、図１４でも示すように、検出回路３４１，駆動回路３４２を備える。検出回路３４１は信号生成回路１３０（１８０）と接続され、また、駆動回路３４２はロック部３３０の一対のソレノイド３３４，３３４と接続される。
検出回路３４１は、信号生成回路１３０（１８０）からのユニークな信号を受けることによって、当該ホルダスロット３０１に登録したキーホルダか否かを識別し、異常検出用に用いる。認識後の抜き差し検出は、電源回路の負荷電流の有無（通電検査）のみの抜き差し検出も可能であるが、常時信号検出する（データ読出し検査）も可能である。
【００５３】
アラーム報知部３５０は、制御部３９０の異常検出により、外部アラーム出力装置（パトライトやブザーなど）の出力に用いる。
無線通信部３６０は、遠隔無線通信制御を行う場合に用いる。例えば無線ＬＡＮなどである。図では有線通信部３７０を経由しているが、制御部３９０と直接接続してもよい。
有線通信部３７０は、有線通信制御を行う場合に用いられる。例えば、シリアル通信Ｉ／Ｆであり、専用管理ソフトがインストールされたＰＣとＲＳ２３２ＣあるいはＵＳＢなどでローカル接続用に用いる。
ＬＡＮ通信部３８０は、ＬＡＮケーブルを介して通信制御を行う場合に用いられる。例えば、Ｅｔｈｅｒｎｅｔ（登録商標）によるＩ／Ｆユニットであり、Ｅｔｈｅｒｎｅｔ（登録商標）経由で遠隔通信制御を行う場合に用いる。
制御部３９０は、各種通信Ｉ／Ｆからの遠隔制御コマンドの受付と制御、また、キーホルダの取り出し、挿入のロギング情報の送出やキーボックスの異常判定を行う。なお、詳細については後述する。
【００５４】
続いて制御部３９０による制御について説明する。なお、全てのホルダスロット３０１にキーホルダ１００（１００’）が差し込まれているものとして説明する。まず、正常時になされる制御について説明する。
制御部３９０は、常時キーホルダを監視しており、検出回路３４１を介してキーデータを読み出せたときはキーボックス本体３００のホルダスロット３０１にキーホルダ１００（１００’）が差し込まれていると判断する手段（正常判断手段）として機能する。
【００５５】
図１１で示すようにセキュリティ・キーボックス１０の開閉扉４００を開ける際にも認証機能が必要であり、制御部３９０は、キー入力部３１０から認証データが入力されたことを検出した場合に開閉扉４００を解錠するように制御する（開閉扉解錠手段）。なお、この機能は開閉扉がないセキュリティ・キーボックス１０’（図１２参照）の場合は不要となる。
【００５６】
続いて、制御部３９０はキー入力部３１０から認証データ（個人名や部署名、貸し出し許可情報など）が入力された場合、この認証データと関連付けて登録されている一または複数のキーデータを有するキーホルダ１００（１００’）をロック部３３０に解除させる手段（使用許可手段）と機能する。
この場合、ロック部３３０の一対のソレノイド３３４，３３４により一対の係止部材３３２，３３２を移動させて使用可能なキーが取付けられたキーホルダ１００（１００’）のホルダロックを解除した状態とする。なお、所定時間経過後には一対のソレノイド３３４，３３４を元に戻して再度の差し込みによりキーロック可能な状態とする。
【００５７】
続いて、制御部３９０は、認証データと貸し出しキー情報を日付時刻情報とともに、図示しない記憶部（メモリやハードディスクなど）に記録する手段（自動持ち出し記録手段）にてローカルデータとして記録可能であるが、通信手段にてＬＡＮに接続された管理者用ＰＣなどに保存することも可能である。制御部３９０は検出回路３４１からキーデータが読み出せなくなった時刻を貸し出しが開始した時刻と、キーデータが読み出せるようになった時刻を貸し出しが終了した時刻と判定する。このように認証データによりキーを使用した使用者が、また、日付時刻情報によりキーをどれくらい借りていたかを判別できるため、異常な持ち出しに対処することができる。
【００５８】
続いて異常時の制御部３９０の機能について説明する。
制御部３９０は、常時キーホルダを監視しているが、認証データの入力がないにも拘らず、検出回路３４１を介してキーデータを読み出せないときはキーボックス本体３１０のホルダスロット３０１にキーホルダが差し込まれていないと判断し未登録者による持ち出しを検出する手段（異常判断手段）として機能する。
さらにこのようなときに制御部３９０は、異常判断されたときにアラーム報知部３５０に音声および表示、または何れか一方により報知させる手段（異常時処理手段）として機能する。さらに制御部３９０は、画像記録装置などと連携することで、異常発生前後の画像記録する手段（アラーム信号出力手段）として機能するようにしても良い。
【００５９】
また、制御部３９０は、キーホルダ１００（１００’）がそのままで略Ｊ字状鉤１１０，１６０の切断あるいは強制的な引き抜きによりキー２００を外したような場合では、信号生成回路１３０（１８０）からキーデータが検出できなくなるためキーホルダが破壊されたと判断する手段（異常判断手段）として機能する。
【００６０】
また、制御部３９０は、キーの持ち出し時間が所定の時間を越えた場合や、所定の時間帯に持ち出している場合など、異常条件をキー毎に設定できる手段（キーボックス異常条件設定手段）として機能する。
【００６１】
また、制御部３９０は、それぞれ、特定のキーホルダ１００（１００’）とホルダスロット３０１とが一対一で対応する場合のみ装着可能とする手段（キーホルダ誤挿入防止機能）として機能する。
【００６２】
以上説明したセキュリティ・キーボックス１０（１０’）では、キーホルダ１００（１００’）が挿入されロック部３３０によりロックされている。無理にキーホルダ１００（１００’）を抜き取ると、検出回路３４１により異常を検知できる。
【００６３】
また、セキュリティ・キーボックス１０（１０’）にキーホルダ１００（１００’）が格納された状態で、キーだけ取り出すためにキーホルダ１００（１００’）を破壊（略Ｊ字状鉤１１０（１６０）を切断したり、引き外す）しても、検出回路３４１によって異常を検知できる。これによって、キーホルダ１００（１００’）をセキュリティ・キーボックス１０（１０’）に残したままキーのみを持ち出されない仕組みを設け、キー持ち出しのセキュリティの抜け穴を防止し、内部犯罪の抑止効果を高めている。
【００６４】
また、キーホルダ１００（１００’）を抜いて目的とする扉の開錠後、目的地に設置された他のセキュリティ・キーボックス１０（１０’）に収納する場合で、キー移送時の状態を管理するときに、移送途中でキーのみを抜き取られてキーホルダ１００（１００’）のみ差し込んでも、やはりキーデータが取得できなくなっており、抜き取りを検知することもできる。
【００６５】
また、特に図６で示したようなキーホルダ１００’では、無理にこじ開けると、キーホルダ１００’が２度とキーロックできない仕組みとしており、内部の人間が、身代わりのキーとこっそり入れ替えて持ち出すことも防止する。
【００６６】
また、キーホルダ１００（１００’）毎に抜き取り検出しているため、特に図１２で示したようなセキュリティ・キーボックス１０’のように開閉扉や蓋を必ずしも必要としない。このため、日常の運用でも蓋を開ける手間がないキーボックスを作製可能であり、また、蓋がないことで、一目でキーの有無を確認できる効果もある。
【００６７】
続いてこのようなセキュリティ・キーボックス１０，１０’を用いるキー管理システムについて図を参照しつつ説明する。図１５は、キー管理システムのブロック図である。キー管理システム１は、総務など管理部署に配置されるセキュリティ・キーボックス１０と、守衛所などに配置されるセキュリティ・キーボックス１０と、を備えるシステムであり、通信回線系として特小中継装置２０と、社内メールシステム３０と、ＬＡＮ４０と、インターネット５０とを備え、また、管理者端末としてコンピュータ６０、携帯端末７０とを備えるようなシステムである。
【００６８】
続いてシステム動作について説明する。このようなシステムでは、上記したような各種制御を行うことに加えてシステム特有の制御を行う。このようなシステム特有の動作について説明する。
セキュリティ・キーボックス１０，１０にカメラとマイクなどの受付認証を別途設けることで、制御部３９０は、許可したキーホルダーのみ、管理者側の端末としてコンピュータ６０、携帯端末７０からの遠隔制御で取り出せるようロック解除する手段（キー抜き取り許可の遠隔制御手段）として機能するようにしても良い。
【００６９】
また、制御部３９０は、キー抜き取り許可の遠隔制御信号は、回線系の特小中継装置２０と、社内メールシステム３０と、ＬＡＮ４０と、インターネット５０を経由するときには、独自の暗号化により、信号を第三者に傍受されコピーされても再利用できない信号とする手段（制御信号の暗号化機能手段）として機能する。
【００７０】
また、制御部３９０は、キーボックス本体のホルダスロットにキーホルダが差し込まれていないと異常判断したときに、予め登録した管理者端末としてコンピュータ６０、携帯端末７０へ通報する手段（キーボックス異常時の通報手段）として機能する。
【００７１】
このようなキー管理システムでは以下のような利用例がある。
例えば、守衛所のキー管理では、紛失時に誰が持ち出したかが取り出し記録により明らかになり、キーの紛失防止に寄与する。また、委託者のキーの無断持ち出しや合いキー複製を防止する。異常を検知した際には、管理者へＥｍａｉｌ通報が可能である。
その他にも、巡回パトロールに際し、キーを守衛所のキーボックスから抜き取り、巡回先の建物を開錠後に同様のキーボックスへキーを一時保管することで、キーの開閉情報の履歴記録が可能である。
電子錠によるアクセス管理システムを導入することなく、従来のシリンダ錠にてアクセス管理が可能となる。また、巡回先建物などを開錠した後、キーボックスに挿入するので、建物内の巡回中にキーを落とすなどの紛失防止になる。管理者は、履歴情報から巡回状況の確認が行える。
【００７２】
また、ビル管理業における警備室におけるキー管理に用いた場合、不許可キーの抜き取り防止などが可能となる。さらに、現場では一切認証行為をせず、カメラとインターホンにより、警備センターとアクセス後、遠隔制御にてキーロック解除を行うことも可能となる。
【００７３】
また、不動産業のキー管理では、家主が不動産業者にマスターキーを預ける場合、物件紹介の都度、キーのアクセス記録が自動で残るため、物件紹介履歴を手間をかけずにインターネットなどのホームページ（ＨＰ）などを介して家主に提供することが可能となる。
不動産業者の家主に対するキーの適性管理と、物件アクセス履歴情報の提供サービスなど付加価値向上に利用できる。
その他、学校や銀行のキー管理などへの利用が得られる。
【００７４】
以上、キーホルダ、セキュリティ・キーボックスおよびキー管理システムについて説明した。しかしながら各種の変形形態が可能である。例えば、セキュリティ・キーボックスの入力はキー入力部であると説明した。しかしながら、ＩＣカードや生体認証など様々な方式にて認証データを入力して、認証登録された者であると確認された場合のみ、キーボックスからキーを取り出すことができるようにすることもできる。また取り出し時は、取り出したキー情報、持ち出し者の登録情報で記録できるので、誰がどのキーを持ち出したか自動記録が可能である。入力部としてキー入力部やカード入力部の利用が可能である。
【００７５】
また、セキュリティ・キーボックスは、通信機能を有し、暗証コードや、社員番号、ＩＣカード式社員証や各種生体認証システムなどと情報の授受を行うことで、専用の管理コンピュータへアクセス情報を登録することができる仕組みをもつようにしてもよい。これにより１つのキー毎に、いつからいつまで、誰が持ち出したかを自動記録でき、アルバイトや、委託者任せになるキーの不用意な持ち出しを抑止する。
【００７６】
以上説明したキーホルダ、セキュリティ・キーボックスおよびキー管理システムによれば、ホルダからキーのみ無断で取り出されることを防止する機能を有することで、セキュリティレベルを一層向上させる。
さらにセキュリティレベルの向上と、キーボックスの遠隔制御機能を有することで、キーボックスの無人管理が可能となる。
また、専用のキーホルダとキーを分離困難として専用のセキュリティ・キーボックスで管理するようにしたため、複数のキーを個別管理しながらも機械システム化することで手間が省け、適切な管理を実現できる。
複数の認証方式から選択可能とすることで、様々なセキュリティレベルに対応できる。
また、工場など広い敷地施設の離れた場所にある守衛所のキーボックスは、無線によりアクセス情報を通知可能とし配線レスで、後付が容易である。
【図面の簡単な説明】
【００７７】
【図１】本発明を実施するための最良の形態のキーホルダの内部構成図である。
【図２】ロック状態の説明図である。
【図３】開放状態の説明図である。
【図４】キーホルダのロック状態の説明図である。
【図５】キーホルダのロック開放状態の説明図である。
【図６】他の形態のキーホルダの内部構成図である。
【図７】ロック状態の説明図である。
【図８】引き抜きによる破損の説明図である。
【図９】キーホルダのロック状態の説明図である。
【図１０】キーホルダのロック開放状態の説明図である。
【図１１】開閉扉を有するタイプのセキュリティ・キーボックスの外観図である。
【図１２】開閉扉がないタイプのセキュリティ・キーボックスの外観図である。
【図１３】セキュリティ・キーボックスの回路ブロック図である。
【図１４】ホルダスロット回路の詳細回路ブロック図である。
【図１５】キー管理システムのブロック図である。
【符号の説明】
【００７８】
１００：キーホルダ
１１０：略Ｊ字状鉤
１１１：先端
１１２：係止溝
１１３：付勢ばね
１１４：係止突部
１２０：ロック片
１２１：回転体
１２２：係止鉤部
１２３：支軸
１２４：押し込み部
１２５：接続線
１２６：ピン
１３０：信号生成回路
１４０：固定係止部
１４１：本体
１４２：係止突部
１５０：ホルダケース
１５１：先端収容穴
１５２：空間
１５３：切り欠き部
１００’：キーホルダ
１６０：略Ｊ字状鉤
１６１：先端
１６２：第一係止溝
１６３：第二係止溝
１６４：付勢ばね
１６５：係止突部
１７０：ロック片
１７１：本体
１７２：略Ｕ字体
１７３：第一係止鉤部
１７４：第二係止鉤部
１７５：係止突部
１８０：信号生成回路
１９０：ホルダケース
１９１：先端収容穴
１９２：空間
１９３：切り欠き部
１０，１０’：セキュリティ・キーボックス
３００：キーボックス本体
３０１：ホルダスロット
３１０：キー入力部
３２０：表示部
３３０：ロック部
３３１：先端部
３３２：係止部材
３３３：折れ曲がり部
３３４：ソレノイド
３３５：突き出し部
３３６：接続線
３３７：付勢部
３３９：溝部
３４０：ホルダスロット回路
３４１：検知回路
３４２：駆動回路
３５０：アラーム報知部
３６０：無線通信部
３７０：有線通信部
３８０：ＬＡＮ通信部
３９０：制御部
４００：開閉扉
２０：特小中継装置
３０：社内メールシステム
４０：ＬＡＮ
５０：インターネット５０
６０：コンピュータ
７０：携帯端末
【図１】
0004693590.tif 000002
【図２】
0004693590.tif 000003
【図３】
0004693590.tif 000004
【図４】
0004693590.tif 000005
【図５】
0004693590.tif 000006
【図６】
0004693590.tif 000007
【図７】
0004693590.tif 000008
【図８】
0004693590.tif 000009
【図９】
0004693590.tif 000010
【図１０】
0004693590.tif 000011
【図１１】
0004693590.tif 000012
【図１２】
0004693590.tif 000013
【図１３】
0004693590.tif 000014
【図１４】
0004693590.tif 000015
【図１５】
0004693590.tif 000016